(57)【要約】【課題】画面をいくつかの画像領域に分割し、低輝度の画像領域と、高輝度の画像領域とで、異なる波形のサステインパルスを入力することで、消費電力を低減しつつ、高輝度化を図ることを可能とする手段を提供する。【解決手段】走査線に沿って画面をいくつかの領域に分割する。分割領域毎に独立して複数のＹ電極駆動回路を配置する。分割領域内で高輝度による表示を必要とするものについては、Ｙ電極駆動回路が高輝度対応の高輝度型波形を用いて駆動する。また、分割領域内で高輝度による表示を必要としないものについては、Ｙ電極駆動回路が低消費電力対応の低消費電力型波形を用いて駆動する。【選択図】図６
2010134135.tif 000002
【特許請求の範囲】
【請求項１】
プラズマディスプレイパネルと、共通電極を駆動する共通電極駆動回路と、前記プラズマディスプレイパネルのサステイン電極を駆動する２以上のサステイン電極駆動回路と、を含むプラズマディスプレイパネルモジュールであって、
前記プラズマディスプレイパネルの表示領域は前記サステイン電極駆動回路それぞれの担当する表示領域に分割され、
前記サステイン電極駆動回路それぞれは担当する表示領域に高輝度表示を行う表示領域が含まれる場合には高輝度型波形のスキャンパルスを前記サステイン電極に出力することを特徴とするプラズマディスプレイパネルモジュール。
【請求項２】
請求項１記載のプラズマディスプレイパネルモジュールにおいて、前記サステイン電極駆動回路それぞれが担当する表示領域に高輝度表示を行う表示領域を含まない場合には低消費電力型波形のスキャンパルスを前記サステイン電極に出力することを特徴とするプラズマディスプレイパネルモジュール。
【請求項３】
請求項１記載のプラズマディスプレイパネルモジュールにおいて、更に画像信号処理回路を有し、前記画像信号処理回路は入力される画像信号入力によって高輝度表示を行うか否かを判定し、前記各サステイン電極駆動回路に判定結果を出力することを特徴とするプラズマディスプレイパネルモジュール。
【請求項４】
請求項１記載のプラズマディスプレイパネルモジュールにおいて、前記サステイン電極駆動回路はコイルを有し、
前記コイル及び前記プラズマディスプレイパネルとの間でＬＣ共振を発生させ、
前記ＬＣ共振による前記プラズマディスプレイパネルへの電荷移動が完了する以前に電位固定をすることで前記高輝度型波形のスキャンパルスを発生させることを特徴とするプラズマディスプレイパネルモジュール。
【請求項５】
請求項１記載のプラズマディスプレイパネルモジュールにおいて、前記サステイン電極駆動回路はコイル及びコンデンサを有し、
前記コイル及び前記プラズマディスプレイパネルとの間でＬＣ共振を発生させ、
前記ＬＣ共振による前記コンデンサへの電荷移動が完了する以前に電位固定をすることで前記高輝度型波形のスキャンパルスを発生させることを特徴とするプラズマディスプレイパネルモジュール。
【発明の詳細な説明】
【技術分野】
【０００１】
本発明は、プラズマディスプレイパネルなどの自己発光型ディスプレイのパネルモジュール、特にサステイン電極に付加するサステインパルスの制御に関する。
【背景技術】
【０００２】
プラズマディスプレイパネル（以下ＰＤＰ）は、自発光型の平面表示装置である。自発光型であるため、ＰＤＰの視認性は高く、また奥行きの薄さ、大画面化、高速表示が可能であるため、ＣＲＴに変わる表示パネルとして実用化されている。
【０００３】
一方、ＰＤＰに対しては輝度等の表示性能を低下させること無く、環境性能としての低消費電力化が社会的に求められている。したがって、画質を大幅に向上させつつ消費電力を大幅に低減することが求められている。
【０００４】
ＰＤＰの消費電力は無効電力とガス放電電力に分けられる。このうち、無効電力はパネルの充放電に要する電力であり、パネルの大型化が進むに従い増加する傾向にある。ＰＤＰでは電力回収回路と呼ばれるパネルを大きな容量とみなした共振回路を利用することで、投入電力の大部分を回収し低消費電力化を図っている。
【０００５】
電力回収回路の詳細はたとえば、特許第２８０１８９３号公報（特許文献１）で開示されている。すなわち、パネル容量を充放電するための経路に共振用のコイル、ダイオード、スイッチとして機能するＭＯＳトランジスタ、回収用のコンデンサで構成される電力回収回路を配置することが示されている。
【０００６】
また、特開２００５−３００９５６号公報（特許文献２）では、電力回収回路のコイルとＰＤＰパネルの容量（パネル容量）Ｃｐとで形成される共振作用によりパネル容量Ｃｐに蓄積された電荷を回収コンデンサに回収すること、この回収コンデンサに回収された電荷を再びパネル容量Ｃｐに供給することが開示されている。
【特許文献１】特許第２８０１８９３号公報
【特許文献２】特開２００５−３００９５６号公報
【発明の開示】
【発明が解決しようとする課題】
【０００７】
しかし、ＰＤＰ全面を単一のサステイン回路で駆動する場合、輝度向上と消費電力低減はトレードオフの関係にある。上記各特許文献記載の電力回収回路を搭載したとしても、この点について変わりは無い。
【０００８】
本発明の目的は、画面をいくつかの画像領域に分割し、低輝度の画像領域と、高輝度の画像領域とで、異なる波形のサステインパルスを入力することで、消費電力を低減しつつ、高輝度化を図ることを可能とする手段を提供することにある。
【０００９】
本発明の前記並びにその他の目的と新規な特徴は、本明細書の記述及び添付図面から明らかになるであろう。
【課題を解決するための手段】
【００１０】
本願において開示される発明のうち、代表的なものの概要を簡単に説明すれば、次の通りである。
【００１１】
本発明の代表的な実施の形態に関わるプラズマディスプレイパネルモジュールは、プラズマディスプレイパネルと、共通電極を駆動する共通電極駆動回路と、プラズマディスプレイパネルのサステイン電極を駆動する２以上のサステイン電極駆動回路と、を含み、プラズマディスプレイパネルの表示領域はサステイン電極駆動回路それぞれの担当する表示領域に分割され、サステイン電極駆動回路それぞれは担当する表示領域に高輝度表示を行う表示領域が含まれる場合には高輝度型波形のスキャンパルスをサステイン電極に出力することを特徴とする。
【００１２】
このプラズマディスプレイパネルモジュールは、サステイン電極駆動回路それぞれが担当する表示領域に高輝度表示を行う表示領域が含まれない場合には低消費電力型波形のスキャンパルスをサステイン電極に出力することを特徴としても良い。
【００１３】
このプラズマディスプレイパネルモジュールは、更に画像信号処理回路を有し、この画像信号処理回路は入力される画像信号入力によって高輝度表示を行うか否かを判定し、各サステイン電極駆動回路に判定結果を出力することを特徴としても良い。
【００１４】
このプラズマディスプレイパネルモジュールのサステイン電極駆動回路はコイルを有し、このコイル及びプラズマディスプレイパネルとの間でＬＣ共振を発生させ、ＬＣ共振によるプラズマディスプレイパネルへの電荷移動が完了する以前に電位固定をすることで高輝度型波形のスキャンパルスを発生させることを特徴としても良い。
【００１５】
また、このプラズマディスプレイパネルモジュールのサステイン電極駆動回路はコイル及びコンデンサを有し、このコイル及びプラズマディスプレイパネルとの間でＬＣ共振を発生させ、ＬＣ共振によるコンデンサへの電荷移動が完了する以前に電位固定をすることで前記高輝度型波形のスキャンパルスを発生させることを特徴としても良い。
【発明の効果】
【００１６】
本願において開示される発明のうち、代表的なものによって得られる効果を簡単に説明すれば以下の通りである。
【００１７】
本発明の代表的な実施の形態に関わるＰＤＰを使用するプラズマディスプレイ装置はサステイン回路を複数具備することにより、分割された表示領域をそれぞれが表示する映像に適した制御をすることが可能になる。これにより、従来パネル全面を単一のサステイン回路で駆動していく上では困難であった高輝度・低消費電力の両立を図ることが可能となる。また、複数の駆動回路でＰＤＰを駆動するため、負荷分散がなされ、過負荷時の特定素子への発熱の集中が抑制され放熱対策が軽減される。
【発明を実施するための最良の形態】
【００１８】
以下は本発明の実施の形態について図を用いて説明する。
【００１９】
（第１の実施の形態）
図１は一般的なＰＤＰの動作周期を説明する図である。
【００２０】
ＰＤＰの動作に際しては３つの電極種別が必要となる。すなわちＸ電極（共通電極）、Ｙ電極（サステイン電極）及びアドレス電極である。この電極の動作を簡単に説明する。
【００２１】
まず、ＰＤＰは、各放電空間の電位を揃えるために全ての放電空間のアドレス電極とＹ電極の間でリセット放電を行う（リセット期間）。次に、Ｘ電極を一定の電圧値に固定した状態で、Ｙ電極１ラインを選択する。点灯すべきセルに対応したアドレス電極に対してアドレスパルスを印加すると共に、選択したＹ電極に負極性のスキャンパルスを印加する。これによりスキャン電極とアドレス電極との間で対向放電が発生し、壁電荷が生じる。これを全てのＹ電極に対して行う（アドレス期間）。
【００２２】
その後に各Ｙ電極、アドレス電極を基準電位に戻す。以降、各Ｙ電極に正極性のサステインパルスを印加し、Ｙ電極が基準電位に戻った後にＸ電極にも正極性のパルスを印加する維持放電を繰り返す（サステイン期間）。
【００２３】
このＰＤＰの基本的な動作を踏まえた上で、本発明の説明をする。
【００２４】
図２は本発明に関わるプラズマディスプレイ装置の電気的な構成図である。図３は本発明に関わるＰＤＰの駆動回路を示す構成図である。また、図４は本発明におけるＰＤＰの駆動回路の動作波形を示す図である。
【００２５】
まず、図２を用いて、プラズマディスプレイ装置の概略構成に付いて説明する。
【００２６】
本発明のプラズマディスプレイ装置は、Ｘ電極駆動回路（Ｘサステイン駆動回路）１０Ｘ、第１Ｙ電極駆動回路（第１Ｙサステイン駆動回路）１０Ｙ１、第２Ｙ電極駆動回路（第２Ｙサステイン駆動回路）１０Ｙ２、第３Ｙ電極駆動回路（第３Ｙサステイン駆動回路）１０Ｙ３、スキャンドライバ２０、ＰＤＰ４０、アドレス駆動回路５０、駆動制御回路７０、画像信号処理回路８０を含んで構成される。
【００２７】
Ｘ電極駆動回路１０ＸはＸ電極（共通電極）Ｘ１、Ｘ２…、Ｘｎを駆動する駆動回路である。共通電極の名の通り、いずれのサステイン電極（Ｙ電極）を動作させる際にも全てのＸ電極（共通電極）及びＸ電極駆動回路１０Ｘは動作する。
【００２８】
第１Ｙ電極駆動回路１０Ｙ１、第２Ｙ電極駆動回路１０Ｙ２、第３Ｙ電極駆動回路１０Ｙ３はＹ電極（サステイン電極）Ｙ１、Ｙ２…、Ｙｎを駆動する駆動回路である。本発明ではＹ電極を３つのグループに分け、Ｙ電極駆動回路１０Ｙ１、第２Ｙ電極駆動回路１０Ｙ２、第３Ｙ電極駆動回路１０Ｙ３がそれぞれ１グループを駆動することを特徴とする。なお、Ｙ電極駆動回路１０Ｙ１、第２Ｙ電極駆動回路１０Ｙ２、第３Ｙ電極駆動回路１０Ｙ３の駆動系回路は同じ構成を取る。
【００２９】
スキャンドライバ２０はいずれのサステイン電極（Ｙ電極）を駆動するか否かを切り替えるスイッチ２１の集合である。
【００３０】
ＰＤＰ４０は駆動対象となるプラズマディスプレイパネルである。内部には図示しない表示セルが形成され、Ｘ電極（共通電極）Ｘ１、Ｘ２…、Ｘｎ、Ｙ電極（サステイン電極）Ｙ１、Ｙ２…、Ｙｎの他、アドレス電極Ａ１、Ａ２…、Ａｎが設けられている。Ｘ電極とＹ電極は隣接して交互に配置され、アドレス電極はこれらＸ電極とＹ電極と直交する方向に設けられる。
【００３１】
アドレス駆動回路５０は、そのアドレス電極Ａ１、Ａ２…、Ａｎを駆動する駆動回路である。
【００３２】
駆動制御回路７０は、画像信号処理回路８０から出力される表示データを元に、Ｘ電極駆動回路１０Ｘ、第１Ｙ電極駆動回路１０Ｙ１、第２Ｙ電極駆動回路１０Ｙ２、第３Ｙ電極駆動回路１０Ｙ３、アドレス駆動回路５０を制御する制御回路である。
【００３３】
画像信号処理回路８０は、入力される画像信号（画像信号入力）からＰＤＰ４０に表示させる形式に表示データを変換するための回路である。
【００３４】
図３のＰＤＰの駆動回路を示す構成図では、Ｘ電極駆動回路１０Ｘ、第１Ｙ電極駆動回路１０Ｙ１、第２Ｙ電極駆動回路１０Ｙ２、第３Ｙ電極駆動回路１０Ｙ３、スキャンドライバ２０の構成を表す。なお、各Ｙ電極駆動回路の駆動系は同じ構成を取るため内部構成は省略する。
【００３５】
この図を用いて、図１の動作周期に当てはめて動作の説明をする。なお、各Ｙ電極駆動回路の動作も同じであるため、第１Ｙ電極駆動回路１０Ｙ１について説明する。
【００３６】
リセット期間では、直前のサステイン期間での点灯状態によらず、放電空間内での壁電荷を中和し、各放電空間内の電荷状況を均一にする。
【００３７】
アドレス期間では、スキャンドライバ２０からのスキャンパルスに応じて、アドレス駆動回路５０から対応した画素データが出力され、点灯させるセルのみにおいてアドレス駆動回路より書き込み電圧Ｖａの書き込みパルスが供給される。これにより、Ｘ電極、Ｙ電極には自己放電しない程度の壁電荷が誘起される（アドレス放電）。
【００３８】
サステイン期間では、Ｘ電極駆動回路１０Ｘ内のスイッチＳＷ４ｘを導通し、Ｘ電極に低電圧Ｖｓ１を印加する。また、第１Ｙ電極駆動回路１０Ｙ１内のスイッチＳＷ２ｙを導通し、Ｙ電極に高電圧Ｖｓ２を印加する。これにより、ＰＤＰ４０はサステイン放電を行う。
【００３９】
次の周期ではＸ電極駆動回路１０Ｘ内のスイッチＳＷ２ｘを導通し、Ｘ電極に電圧Ｖｓ２を印加する。また、第１Ｙ電極駆動回路１０Ｙ１内のスイッチＳＷ４ｙを導通し、Ｙ電極に電圧Ｖｓ１を印加する。これを繰り返すことにより、Ｘ電極とＹ電極間で放電を維持する。このパネル電極電位をＶｓ１またはＶｓ２（Ｖｓ１＜Ｖｓ２）に固定するに当たり、回収コンデンサＣｘ、Ｃｙとパネル容量との間の電荷の供給、回収方向をスイッチＳＷ１ｘ、ＳＷ１ｙ、ＳＷ３ｘ、ＳＷ３ｙを用いて制御する。
【００４０】
ここで第１Ｙ電極駆動回路１０Ｙ１内のスイッチＳＷ１ｙとＳＷ３ｙはパネル容量とコイルの間で構成される共振回路の電流方向を制御し、スイッチＳＷ２ｙ、Ｓｗ４ｙはパネル電極をＶｓ２、Ｖｓ１に固定するためのスイッチである。
【００４１】
サステイン期間の電力回収はパネルとコイルＬｘ、ＬｙとのＬＣ共振を利用する。回収効率を高めるためには回収コンデンサＣｘ、Ｃｙに蓄積された電荷をパネル容量へ供給する期間（電力回収期間）を十分長く設定する必要がある。このときサステイン波形は共振によるパネルへの電荷移動が収束した後電位固定されるためリンギングが小さい波形となる。
【００４２】
一方、ＬＣ共振によるパネルへの電荷移動が完了する以前に電位固定すると電力回収期間を長く設定した場合に対してリンギングが大きい波形が得られる。これは共振現象を中断することによりコイルの寄生振動が生じるためである。このような波形では放電時の電極電位がリンギングにオーバーシュートしており、リンギングが小さい波形と比較し高い輝度が得られる。一方、電力回収の面では回収コンデンサからパネルへの電荷移動完了以前に電位固定しており回収効率が低くなる。
【００４３】
すなわち、リンギングを抑制した駆動波形は高い回収効率が得られる消費電力の低減を目的とした波形（低消費電力型波形）といえる。
【００４４】
またリンギングの大きい波形は回収効率の低い高輝度に対応した波形（高輝度型波形）といえる。これらの波形の輝度差は表示率が低くサステインパルス数の大きいピーク輝度特性において顕著に現れる。
【００４５】
この高輝度型波形と低消費電力型波形の詳細を以下に述べる。
【００４６】
スキャン電極に対する駆動波形は４つのスイッチＳＷ１ｙ、ＳＷ２ｙ、ＳＷ３ｙ、ＳＷ４ｙのタイミング調整により形成される。始めに低消費電力型波形より説明する。
【００４７】
図４は本発明の第１の実施の形態にかかわる低消費電力型波形とそれを形成するためのスイッチＳＷ１ｙ、ＳＷ２ｙ、ＳＷ３ｙ、ＳＷ４ｙのタイミングを表すタイミングチャートである。
【００４８】
まず、スイッチＳＷ４ｙを導通し、Ｖｓ１電位に固定する。時刻Ｔ１でスイッチＳＷ１ｙが導通し共振回路が構成される。これと共に、回収コンデンサＣｙより蓄積されていた電荷がダイオードＤ１ｙ経由でパネル容量に供給される。共振回路による共振現象によってパネル容量を充電しているが、回路抵抗が有限の値を持つ以上、その損失によりＶｓ２に達することができない。共振により電荷移動が完了するまでに要する時間はパネル容量、コイルＬｙ、回路インピーダンスで決定され、その時刻で共振によるパネル電極電位はピークＶｓ２´となる。
【００４９】
ピーク到達後時刻Ｔ３でＳＷ２ｙが導通し、電極電位をＶｓ２に固定する。ＳＷ２ｙが導通した時点で共振による電荷移動は収束しているためリンギング（Ｖｓ２を超える突出量）の少ない駆動波形となるという特徴がある。なお、ピーク電圧到達時間近傍の電圧変化は緩やかなものとなっている。このため、サステイン周期短縮の点では、完全に共振周期と同期して電位を固定するよりわずかに早く電位固定するほうが合理的な場合もあることに留意したい。また、放電開始タイミングが使用する放電ガス（Ｘｅ分圧）などにも依存し、パネル仕様により最適な調整が異なる。このため、ピーク電圧到達とスイッチＳＷ２ｙの導通時刻を正確に一致する制御でなくてもかまわないことは言うまでもない。
【００５０】
放電完了後、ＳＷ２ｙをオフにしＳＷ３ｙをオンにして再びパネル容量により回収コンデンサに電荷を移動し、電荷移動が収束した後ＳＷ４ｙをオンにして低電位Ｖｓ１に固定する。
【００５１】
次に高輝度型波形について図５に基づき説明する。
【００５２】
図５は本発明の第１の実施の形態にかかわる高輝度型波形とそれを形成するためのスイッチＳＷ１ｙ、ＳＷ２ｙ、ＳＷ３ｙ、ＳＷ４ｙのタイミングを表すタイミングチャートである。
【００５３】
低消費電力型波形と高輝度型波形の制御上での大きな相違点は、スイッチＳＷ２ｙのオン時刻がＴ２（＜Ｔ３）であることにある。このようなタイミングでスイッチＳＷ２ｙの導通を行うと、パネル容量とコイルＬｙの間の共振による電流が流れている状態でスイッチＳＷ２ｙをオンにすることとなる。これにより、Ｖｓ２電位に固定する際の駆動波形にはリンギングによるオーバーシュートが生じる。このオーバーシュート期間の放電は実効的な放電電圧が高く放電強度が増加するため、ピーク輝度の向上を図ることが可能となる。
【００５４】
本発明では、この波形の相違を利用する。
【００５５】
次に、本実施の形態における分割サステイン回路におけるタイミング制御について図６を用いて説明する。
【００５６】
上述の通り、ＰＤＰはＸ電極、Ｙ電極、アドレス電極を内包する。本発明においては、駆動回路はＸ電極駆動回路１０Ｘ、第１Ｙ電極駆動回路１０Ｙ１、第２Ｙ電極駆動回路１０Ｙ２、第３Ｙ電極駆動回路１０Ｙ３であり、それぞれに対応した水平方向に分割された表示領域を駆動する。
【００５７】
第１Ｙ電極駆動回路１０Ｙ１は上部の第１領域を、第２Ｙ電極駆動回路１０Ｙ２は中央部の第２領域を、第３Ｙ電極駆動回路１０Ｙ３は下部の第３領域を担当する。画面の中央、第２領域に高輝度領域が存在するような映像パターンの駆動波形は図６のようになる。
【００５８】
すなわち、画像信号処理回路８０で映像信号の解析を行い、所定の判定基準に従い、各Ｙ電極駆動回路に適用する駆動波形を選択する。すなわち、高輝度型波形を用いるか、低消費電力型波形を用いるか、を決定する。この際、表示率によってサステインパルス数が決定されるため、この判定基準に表示率による制約を含んでも良い。
【００５９】
サステイン期間では、第１Ｙ電極駆動回路１０Ｙ１及び第３Ｙ電極駆動回路１０Ｙ３は低消費電力型波形を出力する。一方、同期間に第２Ｙ電極駆動回路１０Ｙ２は高輝度型波形を出力する。
【００６０】
なお、リセット期間及びアドレス期間の動作は低消費電力型波形、高輝度型波形のいずれの場合も同様の波形を出力する。
【００６１】
なお、上記では画像信号処理回路８０で波形を決定する旨述べたが、各Ｙ電極駆動回路が画像信号処理回路８０から送られる表示データに従い自律的に決定しても良い。
【００６２】
また、本発明において表示領域を水平方向に分割駆動するのは、プラズマディスプレイの駆動回路形式上、画面の左右にサステイン回路が設けられていることが大半だからである。したがって、サステイン回路上下に配置されている場合には垂直に分割しても良い。
【００６３】
また、常時動作するＸ電極と異なり、Ｙ電極は走査に関わるものしか動作しない。したがって従来よりＹ電極駆動回路は複数有するＰＤＰが多く、大幅な部品点数の増加や原価アップにはつながりにくい。
【００６４】
さらに水平に領域分割を行う理由として、風景等の表示に当たっては水平方向よりも垂直方向の輝度変化が大きい映像が多いことがあげられる。表示の内容によっては、水平ではなく垂直に分割した場合も考えられるので、この点からも垂直への分割は考慮されるものである。
【００６５】
また、高輝度型波形を適用した表示領域と低消費電力型波形を適用した表示領域との境界では、同じ階調であっても輝度にずれが生じる場合がある。このため、高輝度型波形を適用した表示領域において、高輝度領域以外の領域では低消費電力型波形との輝度差の関係を定式化しておき、画像信号処理回路８０にて各表示領域に駆動波形を選択すると同時に該関係式を用いて補正したアドレスデータをアドレス駆動回路５０に出力するようにしてもよい。
【００６６】
上記で説明した本発明のＹサステイン電極の駆動方法で高輝度及び低消費電力の両立を図ることが可能となる。
【００６７】
（第２の実施の形態）
次に本発明の第２の実施の形態について説明する。
【００６８】
第１の実施の形態では、映像信号により選択される波形を高輝度を目的とした波形及び低消費電力を目的とした波形の２種類としていた。これを複数の段階的変化を伴う駆動波形群として設けることで表示映像の品質を向上させることが可能である。
【００６９】
図７は本発明の第２の実施の形態の波形タイミングを示す概念図である。
【００７０】
すなわち各Ｙ電極駆動回路のＶｓ２電位に切り替えるタイミングを低消費電力型波形と高輝度型波形の範囲でわずかにずらした波形群を複数設ける。これらの波形群を用いて、たとえば低消費電力型波形で駆動されていた表示領域が映像データの変化により高輝度型波形に変化した場合、駆動波形群を用いて連続的な変化として駆動波形群を移行し、高ピーク輝度を実現する。
【００７１】
図７においても示されるように、高輝度型波形の場合にはスイッチＳＷ２ｙの切替タイミングを早くする。また、低消費電力型波形の場合にはスイッチＳＷ２ｙの切替タイミングを遅くする。この中間の切替タイミングを複数用意しておき（図７においては２つ）、適宜使用することで、実現される。
【００７２】
これにより駆動波形の切替をプラズマディスプレイ装置の視聴者に認識されること無く自然な映像を提供することができる。
【００７３】
（第３の実施の形態）
最後に本発明の第３の実施の形態について説明する。
【００７４】
第１の実施の形態はスキャン電極の立ち上がり時のリンギングによって高輝度型波形及び低輝度型波形を生成し、これによって高輝度及び低消費電力を併せて実現する方法を提案した。これと同様のことがスキャン電極の立ち上がり時の駆動波形においても実現可能ではないかという視点が第３の実施の形態である。
【００７５】
既述の通り、ＰＤＰ４０のサステイン期間には、Ｘ電極及びＹ電極のパネル電極をＶｓ１とＶｓ２電位に交互に固定することの繰り返しで放電維持を行っている。このとき他方の電極は１８０度反転した位相で同様の電位変化を繰り返している。
【００７６】
このときの電極電位が遷移するシーケンスとして次の二つが考えられる。
【００７７】
第１のシーケンスはＸ電極（Ｙ電極）が立ち下がった後、Ｙ電極（Ｘ電極）が立ち上がるシーケンスである。また、第２のシーケンスはＸ電極（Ｙ電極）が立ち上がった後、Ｙ電極（Ｘ電極）が立ち下がるシーケンスである。
【００７８】
第１のシーケンスについては、第１の実施の形態で詳細に説明したように、電極電位の立ち上がり時の波形で放電強度及び消費電力を制御した。
【００７９】
本実施の形態では第２のシーケンスについて考慮するものである。第２のシーケンスでは放電は電極電位の立ち下がり時に発生する。この立ち下がり時の駆動波形においても輝度と消費電力の両立を図ることが可能である。
【００８０】
図８は本発明の第３の実施の形態にかかわる低消費電力型波形とそれを形成するためのスイッチＳＷ１ｙ、ＳＷ２ｙ、ＳＷ３ｙ、ＳＷ４ｙのタイミングを表すタイミングチャートである。また図９は本発明の第３の実施の形態にかかわる高輝度型波形とそれを形成するためのスイッチＳＷ１ｙ、ＳＷ２ｙ、ＳＷ３ｙ、ＳＷ４ｙのタイミングを表すタイミングチャートである。これらを用いて本実施の形態を説明する。
【００８１】
駆動波形の放電タイミングが立ち下がりとなるため、制御すべき電位の切替のタイミングはＶｓ１電位が固定であるため、ＳＷ４ｙの導通の時間となる。すなわち、スイッチＳＷ３ｙが導通した後、ＳＷ４ｙが導通するまでの時間を共振により生じるパネル容量からコンデンサＣｙへの電荷移動が十分収束するまでの時間Ｔ５とする。ＳＷ４ｙの導通タイミングをＴ５以降とすることで、図８のような低消費電力型波形を形成することができる。
【００８２】
またＳＷ４ｙの導通タイミングをＴ５より以前とすることで、図９のように立ち下がり波形でもリンギングによるオーバーシュートを発生させ高輝度型波形を設計することができる。
【００８３】
この立ち下がりのタイミング制御による駆動波形設計も第２の実施の形態と併用することに問題が無いことは言うまでもない。また第１の実施の形態および第３の実施の形態は併用可能である。
【００８４】
以上、本発明者によってなされた発明を実施の形態に基づき具体的に説明したが、本発明は前記の実施の形態に限定されるものではなく、その要旨を逸脱しない範囲で種々変更が可能であることは言うまでもない。
【産業上の利用可能性】
【００８５】
本発明はプラズマディスプレイのＹ電極での適用を想定して説明した。しかし、プラズマディスプレイだけでなく、他のフラットパネルディスプレイにも適用可能である。
【図面の簡単な説明】
【００８６】
【図１】一般的なＰＤＰの動作周期を説明する図である。
【図２】本発明に関わるプラズマディスプレイ装置の電気的な構成図である。
【図３】本発明に関わるＰＤＰの駆動回路を示す構成図である。
【図４】本発明におけるＰＤＰの駆動回路の動作波形を示す図である。
【図５】本発明の第１の実施の形態にかかわる高輝度型波形とそれを形成するためのスイッチの切替タイミングを表すタイミングチャートである。
【図６】本発明の第１の実施の形態にかかわる低消費電力型波形とそれを形成するためのスイッチの切替タイミングを表すタイミングチャートである。
【図７】本発明の第２の実施の形態の波形タイミングを示す概念図である。
【図８】本発明の第３の実施の形態にかかわる低消費電力型波形とそれを形成するためのスイッチの切替タイミングを表すタイミングチャートである。
【図９】本発明の第３の実施の形態にかかわる高輝度型波形とそれを形成するためのスイッチの切替タイミングを表すタイミングチャートである。
【符号の説明】
【００８７】
Ｃｘ、Ｃｙ…コンデンサ、ＣＸＹ…Ｘ電極Ｙ電極間パネル容量、
ＣＸＡ…Ｘ電極アドレス電極間パネル容量、ＣＹＡ…Ｙ電極アドレス電極間パネル容量、
Ｄ１ｘ、Ｄ２ｘ、Ｄ３ｘ、Ｄ４ｘ、Ｄ１ｙ、Ｄ２ｙ、Ｄ３ｙ、Ｄ４ｙ…ダイオード、
ＳＷ１ｘ、ＳＷ２ｘ、ＳＷ３ｘ、ＳＷ４ｘ…スイッチ、
ＳＷ１ｙ、ＳＷ２ｙ、ＳＷ３ｙ、ＳＷ４ｙ…スイッチ、Ｌｘ、Ｌｙ…コイル、
Ｘ１、Ｘ２、…、Ｘｎ…Ｘ電極、Ｙ１、Ｙ２、…、Ｙｎ…Ｙ電極、
１０Ｘ…Ｘ電極駆動回路、１０Ｙ１…第１Ｙ電極駆動回路（第１Ｙサステイン駆動回路）、
１０Ｙ２…第２Ｙ電極駆動回路（第２Ｙサステイン駆動回路）、
１０Ｙ３…第３Ｙ電極駆動回路（第３Ｙサステイン駆動回路）、
２０…スキャンドライバ、２１…スイッチ、４０…ＰＤＰ、５０…アドレス駆動回路、
７０…駆動制御回路、８０…画像信号処理回路。
【図１】
2010134135.tif 000003
【図２】
2010134135.tif 000004
【図３】
2010134135.tif 000005
【図４】
2010134135.tif 000006
【図５】
2010134135.tif 000007
【図６】
2010134135.tif 000008
【図７】
2010134135.tif 000009
【図８】
2010134135.tif 000010
【図９】
2010134135.tif 000011